(57)【特許請求の範囲】
【請求項１】
組立部品に配置された少なくとも１つのボールをそれぞれ有する前記組立部品のグループを備える玩具組立セットであって、前記ボールは、接続ロッドを介して前記組立部品の他の部分に接続され、該玩具組立セットは、前記ボールを収納して玉継手を形成するように構成され適合されたソケットを有する少なくとも１つの部品を更に備え、前記ボールに接続され、前記ボールから少なくとも或る距離だけ離れた前記接続ロッドの断面が、前記ボールの断面よりも小さく、それにより、前記ソケットが前記ボールの周りに回転する或る特定の自由度を与える、玩具組立セットにおいて、前記組立部品のグループが第１の種類の接続ロッド及び第２の種類の接続ロッドを備え、前記第１の種類の接続ロッドが、少なくとも前記ボールの近傍において、前記第２の種類の接続ロッドの対応する断面よりも比較的大きな断面を有し、それにより、前記第１の種類の接続ロッドの前記比較的大きな断面が、前記ソケットが前記第１の種類の接続ロッドにより担持されるボールの周りに回転することができる自由度を、前記ソケットが前記第２の種類の接続ロッドにより担持されるボールの周りに回転することができる自由度よりも低減することを特徴とする、玩具組立セット。
【請求項２】
前記第１の種類の接続ロッド及び前記第２の種類の接続ロッドの各々が対称軸を有し、該対称軸は、該対称軸を有する接続ロッドにより担持される前記ボールを通って延びることを特徴とする、請求項１に記載の玩具組立セット。
【請求項３】
前記対称軸が前記ボールの中心を通って延びることを特徴とする、請求項２に記載の玩具組立セット。
【請求項４】
前記組立部品のグループが、それぞれがボールを担持する第１の種類の接続ロッド及び第２の種類の接続ロッドの両方を有する少なくとも１つの組立部品を備えることを特徴とする、請求項１〜３のいずれか一項に記載の玩具組立セット。
【請求項５】
前記ボールのうちの少なくとも２つが、共通の接続ロッドにより相互接続されることを特徴とする、請求項４に記載の玩具組立セット。
【請求項６】
前記共通の接続ロッドが、前記ボールのうちの１つの近傍で比較的より大きな断面を有する前記第１の種類の接続ロッドを形成する一端部と、別のボールの近傍においてより小さな断面を有する前記第２の種類の接続ロッドを形成する他端部とを有することを特徴とする、請求項５に記載の玩具組立セット。
【請求項７】
前記ボールのうちの少なくとも１つが、該ボールから延在する厳密には２つの前記第１の種類の接続ロッドを有することを特徴とする、請求項４〜６のいずれか一項に記載の玩具組立セット。
【請求項８】
少なくとも１つの他のボールが、該ボールから延在する１つのみの前記第２の種類の接続ロッドを有することを特徴とする、請求項４〜７のいずれか一項に記載の玩具組立セット。
【請求項９】
前記ソケットが２つの弾性顎部により形成され、前記弾性顎部のそれぞれが、他方の前記顎部に面する凹結合面を有し、前記ソケットが前記ボールに取り付けられた場合、前記顎部が、前記２つの顎部の前記凹結合面が前記ボールの両側に当接することを保証する間隔を有することを特徴とする、請求項１〜８のいずれか一項に記載の玩具組立セット。
【請求項１０】
共通の対称軸を有する前記第１の種類の接続ロッドのうちの２つにより担持されるボールに取り付けられた前記顎部が前記２つの第１の種類の接続ロッドの前記共通の対称軸の周りにのみ回転可能なように、前記顎部の前記凹結合面間の距離及び前記第１の種類の接続ロッドの断面が選択されることを特徴とする、請求項９に記載の玩具組立セット。
【発明の詳細な説明】
【技術分野】
【０００１】
本発明は、組立部品に配置された少なくとも１つのボールをそれぞれ有する組立部品のグループを備える玩具組立セットであって、ボールは、接続ロッドを介して組立部品の他の部分に接続され、玩具組立セットは、ボールを収納して玉継手を形成するように構成され適合されたソケットを有する少なくとも１つの部品を更に備え、ボールに接続され、ボールから少なくとも或る距離だけ離れた接続ロッドの断面が、ボールの断面よりも小さく、それにより、ソケットがボールの周りに回転する或る特定の自由度を与える、玩具組立セットに関する。
【０００２】
それにより、例えば子供が、関節接続されたボディパーツを有する玩具フィギュア等の構造物を組み立てることが可能である。
【背景技術】
【０００３】
［関連技術の記載］
そのような玩具組立セットの例は、玉継手を介して接続して、関節接続された玩具フィギュアを形成することができる幾つかの別個の組立部品を開示する特許文献１から既知である。
【０００４】
この種の玩具組立セットに関連する問題は、別個の部品を互いに接続する多くの異なる方法を提供しないことである。
【０００５】
したがって、玩具組立セットに関連して、同じ基本部品を使用することにより多くの異なる構造物若しくはフィギュアを組み立てる可能性を与えるような組立セットを提供することが絶えることのない課題である。
【０００６】
これは、多くの異なる方法で互いに接続して、関節接続されたフィギュア若しくは構造物を形成することができる結合ボール及び相補的なソケットを有する多くの異なる種類の部品を開示する特許文献２による玩具組立セットを用いて、或る程度達成されている。
【先行技術文献】
【特許文献】
【０００７】
【特許文献１】欧州特許出願第８５６３４１号
【特許文献２】米国特許第５７９６８１号
【発明の概要】
【発明が解決しようとする課題】
【０００８】
本発明の主目的は、様々なパターンの可能な動きを有する関節接続されたフィギュアを組み立てるより様々な方法をユーザーに与える玩具組立セットを提供することである。
【課題を解決するための手段】
【０００９】
これは、前記組立部品のグループが第１の種類の接続ロッド及び第２の種類の接続ロッドを備え、前記第１の種類の接続ロッドが、少なくとも前記ボールの近傍において、前記第２の種類の接続ロッドの対応する断面よりも比較的大きな断面を有し、それにより、前記第１の種類の接続ロッドの前記比較的大きな断面が、前記ソケットが前記第１の種類の接続ロッドにより担持されるボールの周りに回転することができる自由度を、前記ソケットが前記第２の種類の接続ロッドにより担持されるボールの周りに回転することができる自由度よりも低減することを更に規定する、請求項１による本発明によって達成される。
【００１０】
それにより、同じソケットを、異なる断面を有する接続ロッドにより組立部品に接続される２つの異なるボールの両方に接続することができ、ソケットがボールのうちの一方の周りに回転することができる自由度は、ソケットが他方のボールの周りに回転することができる自由度よりも制限される。それにより、比較的限られた数の異なる組立部品を用いて、多数の異なるフィギュア又は構造物を組み立てることが可能であり、同時に、より様々なパターンのフィギュア又は構造物の可能な動き又は関節接続を提供することが可能である。
【００１１】
好ましい一実施の形態では、前記接続ロッドが対称軸を有し、前記対称軸が前記接続ロッドにより担持される前記ボールを通って延びる。
【００１２】
これに関連して、前記対称軸が前記ボールの中心を通って延びることができることが好ましい。
【００１３】
前記組立部品のグループが、それぞれがボールを担持する第１の種類の接続ロッド及び第２の種類の接続ロッドの両方を有する少なくとも１つの組立部品を備えることができる。このようにして、同じ組立部品が、より様々なパターンの動き又は関節接続を提供することができる。
【００１４】
これに関連して、ボールのうちの少なくとも２つが共通の接続ロッドにより相互接続さされる場合、特に、共通の接続ロッドが、ボールのうちの一方の近傍で比較的大きな断面を有する第１の種類の接続ロッドを形成する一端部と、別のボールの近傍でより小さな断面を有する第２の種類の接続ロッドを形成する他端部と、を有する場合、非常に単純な部品を提供することができる。
【００１５】
組立部品の少なくとも１つが少なくとも１つのボールを有し、ボールから延在する厳密には２つの第１の種類の接続ロッドをボールが有することを特徴とする、請求項４、５、又は６の一つ以上に記載の玩具組立セット。
【００１６】
これに関連して、前記ボールのうちの少なくとも１つが、該ボールから延在する１つのみの前記第２の種類の接続ロッドを有することが更に可能である。
【００１７】
更に好ましい一実施の形態では、前記ソケットが２つの弾性顎部により形成され、前記弾性顎部のそれぞれが、他方の前記顎部に面する凹結合面を有し、前記ソケットが前記ボールに取り付けられた場合、前記顎部が、前記２つの顎部の前記結合面が前記ボールの両側に当接することを保証する間隔を有する。
【００１８】
これに関連して、前記顎部の前記凹結合面が２つの側面の間に延在し、共有の対称軸を有する前記第１の種類の接続ロッドのうちの２つにより担持されるボールに取り付けられた前記顎部が前記２つの第１の種類の接続ロッドの前記共通の対称軸の周りにのみ回転可能なように、前記２つの側面間の距離及び前記第１の種類の接続ロッドの断面が選択される場合が有利である。
【００１９】
以下において、本発明について、添付される図面によって示される実施形態を参照してより詳細に説明する。示される実施形態が、例示のみを目的として使用され、本発明の範囲の限定に使用されるべきではないことが強調されるべきである。
【図面の簡単な説明】
【００２０】
【図１】図２、図３、及び図４に示される組立部品のそれぞれ１つを使用することにより組み立てられる単純な構造物を示す。
【図２】本発明による第１の組立部品の横正面図である。
【図３】本発明による第２の組立部品の側面図である。
【図４】本発明による第３の組立部品の側面図である。
【発明を実施するための形態】
【００２１】
図２、図３、及び図４に、本発明による組立部品の異なる実施形態を示す。以下の説明から、図１、図２、及び図３に示されるものとは異なる多くの実施形態を示唆して、玩具フィギュア等の玩具構造物を組み立てる多くの異なる可能性を提供可能なことが当業者には明らかであろう。
【００２２】
図２〜図４では、組立部品は、２つの異なる種類の接続ロッド３、４を介して互いに接続された異なる数のボール１、２を有し、第１の種類の接続ロッド４は、第２の種類の接続ロッド３の断面よりも大きい断面を有する。
【００２３】
図３及び図４による実施形態は、それぞれが２つの顎部５により形成される同一のソケットを有し、顎部５は、ボール１、２のうちの任意のボールにスナップ嵌めを提供するように設計された凹面６を有し、それにより、ソケット５は、ボール１、２から外されることなくボール１、２のうちの任意のボール上を摺動することができる。図３では、顎部は正面図で示され、図４では、顎部は側面図で示される。
【００２４】
このようにして、ソケットに接続されたボール１、２は、関節接続された玉継手を形成し、それにより、組立部品は、本発明による様々な数の組立部品を使用することにより、多くの異なる関節接続された構造物若しくはフィギュアを組み立てる可能性を提供する。
【００２５】
上述したように、当業者は、互いに対して多くの異なる位置に配置され、２つの異なる接続ロッド３、４により相対位置において一緒に固定されたより多数又はより少数のボール１、２を有する他の実施形態を示唆することが可能である。図３及び図４に示される２つの実施形態は、接続ロッド３、４が点線で示される同じ対称軸Ｓに沿って配置されることを示し、図２では、接続ロッド３、４が共通平面に配置された、この図には１つしか示されないより多数の対称線に沿って配置される。当業者が、本発明の概念から逸脱せずに、２次元又は３次元に配置された対称線の他の構成を考え出すことができることは明らかであろう。
【００２６】
これに関連して、図２による組立部品は、玩具フィギュアの骨構造（bone structure）を組み立てる体幹（corpus）部品として使用されるように設計され、図３及び図４による組立部品は、図２による組立部品に接続されて、玩具フィギュアの手足部分の骨構造を形成するために使用することができる。
【００２７】
ここで、図１において、図２、図３、及び図４による組立部品を使用することにより組み立てられた単純な構造物を示す。図３による組立部品は、比較的小さな断面を有する接続ロッド３により担持されるボール１に顎部５をスナップ嵌めすることにより、図２による組立部品に取り付けられ、図４による組立部品は、比較的より大きな断面を有する２つの接続ロッド４により担持されるボール２に取り付けられる。
【００２８】
これにより顎部５及びそれにより図３による組立部品は、接続ロッド３の断面が比較的小さいことにより、全方向において高い自由度でボール１の周りに回転することができる。
【００２９】
他方、図４に示される組立部品による顎部５がボール２を担持する接続ロッド４の断面が比較的大きいことにより、ボール２上を摺動する場合、この組立部品は実質的に、対称軸Ｓの周りにしか回転することができない。
【００３０】
このようにして、本発明による組立部品は、多数の異なる構造物若しくはフィギュアを組み立てるより多数の異なる選択肢を提供する。
【図１】
0005955328.tif 000002
【図２】
0005955328.tif 000003
【図３】
0005955328.tif 000004
【図４】
0005955328.tif 000005